(57)【要約】【課題】金具と梁材との接触による騒音や、コンクリート板の跳ね上がりを防止する、コンクリート板の固定金具を提供する。【解決手段】梁材と連結する連結部と、前記連結部の端部から立ち上がる段差部と、前記段差部の上端から水平に延出する固定部と、からなり、前記固定部にはボルト挿通孔を形成し、前記連結部の上面には弾性体を設けることを特徴とする、コンクリート板の固定金具。【選択図】図１
2015209649.tif 000002
【特許請求の範囲】
【請求項１】
梁材と連結する連結部と、
前記連結部の端部から立ち上がる段差部と、
前記段差部の上端から水平に延出する固定部と、からなり、
前記固定部にはボルト挿通孔を形成し、
前記連結部の上面には弾性体を設け、
前記弾性体は、コンクリート板の上下動に合わせて伸縮する長さを有することを特徴とする、
コンクリート板の固定金具。
【請求項２】
請求項１に記載の固定金具において、
前記固定部の前記ボルト挿通孔に下方から挿通したボルトによって前記固定部をコンクリート板の下面に固定し、
前記弾性体が前記連結部と前記梁材の上フランジの下面との間に位置し、
前記コンクリート板への積載荷重がゼロのとき、前記弾性体が最も圧縮されていることを特徴とする、
コンクリート板の固定金具。
【発明の詳細な説明】
【技術分野】
【０００１】
本発明は、コンクリート板を用いた床構造においてコンクリート板を梁材上に固定するための固定金具に関するものである。
【背景技術】
【０００２】
鉄骨造の建築物において、床材となるコンクリート板を梁材に固定する方法としては、段差のある断面Ｚ状の金具の一方をコンクリート板に固定し、他方を梁材の上フランジの下部に当接させる方法が知られている。（図７）
金具と上フランジとの間には、ゴム等の緩衝材を設ける。
【発明の概要】
【発明が解決しようとする課題】
【０００３】
防振を目的としてコンクリート板と梁材との間に梁上防振材を配置した場合において、コンクリート板に積載荷重が加わると、梁上防振材が圧縮されて、コンクリート板全体が変位して沈み込む形となる。このとき、金具と梁材の上フランジとの間には空間ができる（図８）。
その後、積載荷重が取り除かれると梁上防振材が復元し、コンクリート板が上昇し、金具と梁材が接触する。このとき、緩衝材が金具と梁材が接触するときの金属音を抑えるが、高音域から音域を下げたとしても、低音域での音の発生を防ぐのは困難である。
また、載荷荷重がゼロの状態においてすでに金具と梁材との間に空間がある場合には、梁上防振材の復元力によってコンクリート板が跳ね上がり、振動・騒音が発生する（図９）。
【０００４】
本発明は、金具と梁材との接触による騒音や、コンクリート板の跳ね上がりを防止する、コンクリート板の固定金具を提供することを目的とする。
【課題を解決するための手段】
【０００５】
上記のような課題を解決する本発明のコンクリート板の固定金具は、梁材と連結する連結部と、前記連結部の端部から立ち上がる段差部と、前記段差部の上端から水平に延出する固定部と、からなり、前記固定部にはボルト挿通孔を形成し、前記連結部の上面には弾性体を設け、前記弾性体は、コンクリート板の上下動に合わせて伸縮する長さを有することを特徴とするものである。
また、前記固定部の前記ボルト挿通孔に下方から挿通したボルトによって前記固定部をコンクリート板の下面に固定し、前記弾性体が前記連結部と梁材の上フランジの下面との間に位置し、前記コンクリート板への積載荷重がゼロのとき、前記弾性体が最も圧縮されていることを特徴とするものである。
【発明の効果】
【０００６】
本発明のコンクリート板の固定金具は以上説明したようになるから、次のような効果のいずれかを得ることができる。
（１）コンクリート板の下面にボルトによって取り付けるため、容易に取り付けることができる。
（２）梁材の上フランジ下面と金具の連結片との間に弾性体を配置する。コンクリート板への積載荷重によって梁上防振材が圧縮されて、コンクリート板が沈み込んだ際には弾性体が伸長するため、金具と梁材との間に空間が生じることがない。そして空間が生じないため、積載荷重が取り除かれて梁上防振材が復元したときに、梁材と金具との接触による騒音が発生することがない。
（３）積載荷重がゼロのとき弾性体が最も圧縮されているため、コンクリート板に積載荷重が作用して弾性体が伸長した後、積載荷重が取り除かれて梁上防振材の復元によってコンクリート板が上昇する際に、弾性体の弾性力によってコンクリート板の上層速度が遅くなる。これにより、復元時の騒音を低減することができる。
（４）積載荷重がゼロのとき弾性体が最も圧縮されているため、梁上防振材が復元される際、積載荷重がゼロの位置までしか弾性体が縮まないため、コンクリート板が跳ね上がることがない。
（５）コンクリート板が跳ね上がることがないため、コンクリート板の振動を抑制し、騒音を防止する。
【図面の簡単な説明】
【０００７】
【図１】本発明の固定金具の使用状態の説明図
【図２】固定金具の斜視図
【図３】固定金具の変形の説明図
【図４】その他実施例にかかる固定金具の斜視図
【図５】その他実施例にかかる固定金具の使用状態の説明図
【図６】その他実施例にかかる固定金具の変形の説明図
【図７】従来の固定金具の説明図（１）
【図８】従来の固定金具の説明図（２）
【図９】従来の固定金具の説明図（３）
【発明を実施するための形態】
【０００８】
以下、図面を参照にしながら本発明の好適な実施の形態を詳細に説明する。
【実施例】
【０００９】
＜１＞基本的構成
本発明の固定金具１は、梁材２上にコンクリート板３を固定するための部材である。
固定金具１は、矩形の平板を略Ｚ字上に折曲したものであり、連結部４と、連結部４の端部から立ち上がる段差部５と、段差部５の上端から水平に延出する固定部６と、からなる（図２）。
固定部６にはボルト挿通孔６１を形成する。
連結部４の上面には弾性体７を設ける。
【００１０】
＜２＞弾性体
弾性体７はバネ７１、連結部４に設けたピン挿通孔４１およびバネ７１内部に挿通するピン７２、および、バネ７１から延出したピン７２の端部に設ける上プレート７３からなる。バネ７１はコイルバネである。
ピン７２のピン挿通孔４１から下方向に延出した端部にはピン挿通孔４１よりも大径のストッパー７４を設ける。ピン７２の長さはバネ７１の自由長よりも短くする。
このように構成することにより、バネ７１を蓄勢した状態で連結部４と上プレート７３とにより狭持する。このとき、バネ７１の長さはコンクリート板３の上下方向の変位量よりも長くしておくことにより、コンクリート板３の上下動に合わせて伸縮する。
【００１１】
＜２−１＞弾性体の伸縮
弾性体７の上プレート７３に下方向の荷重をかけるとバネ７１は圧縮される。このとき、ピン７２およびピン挿通孔４１がガイドとなり、バネ７１は倒れたり曲がることなく、軸方向に均一に圧縮される。
そして荷重を取り除くと、バネ７１は、圧縮時と同様にピン７２およびピン挿通孔４１がガイドとなり、ストッパー７４が連結部４の下面に当接するまで伸長する。
【００１２】
＜３＞固定形態
次に、固定金具１を用いたコンクリート板３の固定形態を説明する。
本発明の固定金具１は、梁材２上にコンクリート板３を固定するものである。梁材２とコンクリート板３との間には、梁上防振材８が配置されている（図１）。
本発明の固定金具１は、固定部６のボルト挿通孔６１に挿通したボルト６２によって、コンクリート板３の下面に固定する。
そして、段差部５が梁材２のウェブと略平行に立ち下がり、段差部５の下端から連結部４が梁材２の上フランジ２１と平行に延出する。
連結部４と梁材２の上フランジ２１との間には弾性体７が位置する。
【００１３】
＜３−１＞積載荷重がゼロのとき
弾性体７の上プレート７３の上面は、梁材２の上フランジ２１の下面と当接している。そして、コンクリート板３の上面への積載荷重がゼロ（床構造への積載荷重がゼロ）のとき、弾性体７のバネ７１が密着長さ（最も圧縮された状態）となるように、段差部５の高さやバネ７１の長さをあらかじめ決定しておく。
【００１４】
＜３−２＞積載荷重が加わったとき
コンクリート板３の上面に積載荷重が加わると、梁上防振材８が圧縮されて、コンクリート板３全体が変位して沈み込む（図３）。
コンクリート板３が沈み込むと、コンクリート板３の下面に固定した固定金具１も同時に下がるが、弾性体７は上プレート７３が上フランジ２１に当接したまま、バネ７１が伸長する。バネ７１の長さはコンクリート板３の変位量よりも長いため、コンクリート板３の位置が最大に変位した場合でも、上プレート７３が上フランジ２１から離れず、当接したままである。
【００１５】
＜３−３＞積載荷重が取り除かれたとき
コンクリート板３の上面の積載荷重が取り除かれると、梁上防振材８の復元力により、コンクリート板３がもとの位置に戻るように上昇する。
上プレート７３と上フランジ２１は当接したままであるため、上プレート７３と上フランジ２１との接触音は発生しない。そして、上昇中のコンクリート板３には下方向にバネ７１の復元力が作用し、コンクリート板３の上昇速度が低減される。これにより、復元時の騒音の発生が少なくなる。
そしてコンクリート板３が元の位置に戻るまで梁上防振材８が復元すると、バネ７１が最も圧縮されるため、コンクリート板３が跳ね上がって振動が発生することがなく、騒音が防止される。
以上のように、弾性体７のバネ７１は、コンクリート板３の積載荷重がゼロのときの長さが密着長さとすることで、騒音の防止効果が最大に発揮される。
【００１６】
［その他実施例］
上記した実施例においては、弾性体７をバネ７１により構成したが、エラストマー７５と、上プレート７３を有する固定ピン７６と、により構成しても良い。
エラストマー７５は軸に沿って挿通孔７５１を有する中空の柱状体であり、挿通孔７５１に固定ピン７６を挿通する。
固定ピン７６の長さはエラストマー７５の自由長よりも短くする。
コンクリート板３の上面への積載荷重がゼロ（床構造への積載荷重がゼロ）のとき、固定ピン７６の下端が連結部４に接触するように（図５）、段差部５の高さや固定ピン７６の長さをあらかじめ決定しておく。
また、コンクリート板３の位置が最大に変位した場合でも、上プレート７３が上フランジ２１から離れないように、エラストマー７５の長さはコンクリート板３の変位量よりも長くする。
このように構成することにより、エラストマー７５は、挿通孔７５１および固定ピン７６がガイドとなり、軸方向に均一に伸縮する。
【００１７】
コンクリート板３の上面に積載荷重が加わると、梁上防振材８が圧縮されて、コンクリート板３全体が沈み込み、弾性体７は上プレート７３が上フランジ２１に当接したまま、エラストマー７５が伸長する。エラストマー７５の長さはコンクリート板３の変位量よりも長いため、コンクリート板３の位置が最大に変位した場合でも、上プレート７３が上フランジ２１から離れず、当接したままである。
そして、コンクリート板３の上面の積載荷重が取り除かれると、梁上防振材８の復元力により、コンクリート板３がもとの位置に戻るように上昇する。
上プレート７３と上フランジ２１は当接したままであるため、上プレート７３と上フランジ２１との接触音は発生しない。そして、上昇中のコンクリート板３には下方向にエラストマー板３の復元力が作用し、コンクリート板３の上昇速度が低減される。これにより、復元時の騒音の発生が少なくなる。
そしてコンクリート板３が元の位置に戻るまで梁上防振材８が復元すると、固定ピン７６の下端が連結部４に接触し、それ以上エラストマー７５が圧縮されることがなく、コンクリート板３が跳ね上がって振動が発生することがない。
【符号の説明】
【００１８】
１      固定金具
２      梁材
２１    上フランジ
３      コンクリート板
４      連結部
５      段差部
６      固定部
６１    ボルト挿通孔
６２    ボルト
７      弾性体
７１    バネ
７２    ピン
７３    上プレート
７４    ストッパー
７５    エラストマー
７５１  挿通孔
７６    固定ピン
８      梁上防振材
【図１】
2015209649.tif 000003
【図２】
2015209649.tif 000004
【図３】
2015209649.tif 000005
【図４】
2015209649.tif 000006
【図５】
2015209649.tif 000007
【図６】
2015209649.tif 000008
【図７】
2015209649.tif 000009
【図８】
2015209649.tif 000010
【図９】
2015209649.tif 000011